(57)【特許請求の範囲】
【請求項１】
通常時に商用電源からの電力供給によって作動し給湯を行う給湯ユニットと、前記商用電源からの電力供給によって充電されるバッテリー及び該バッテリーからの直流電力を交流電力に変換して前記給湯ユニットに出力するインバータを備えた電源ユニットと、通常時、前記給湯ユニットに接続されて、該給湯ユニットから電力供給を受け、該給湯ユニットに指令信号を送信可能な状態を保持する操作リモコンとを有する給湯器であって、
前記電源ユニットには、停電開始により前記操作リモコンの接続先を切り替えるスイッチと、通常時及び停電時に前記バッテリーから直流電力が供給され、前記スイッチの切り替えを制御する監視回路とが設けられ、
前記監視回路は、停電開始により前記スイッチによって前記操作リモコンに接続されて、該操作リモコンへ前記バッテリーからの電力を供給し、該操作リモコンから指令信号を受信可能な状態となり、
停電時、前記監視回路が前記操作リモコンから給湯開始指令信号を受信すると、前記監視回路は、停止していた前記インバータを作動させて前記給湯ユニットに対する交流電力の出力を開始させ、前記スイッチは、前記操作リモコンを前記給湯ユニットに接続することを特徴とする給湯器。
【請求項２】
通常時に商用電源からの電力供給によって作動し給湯を行う給湯ユニットと、前記商用電源からの電力供給によって充電されるバッテリー及び該バッテリーからの直流電力を交流電力に変換して前記給湯ユニットに出力するインバータを備えた電源ユニットと、通常時、前記給湯ユニットに接続されて、該給湯ユニットから電力供給を受け、該給湯ユニットに指令信号を送信可能な状態を保持する操作リモコンとを有する給湯器であって、
前記電源ユニットには、停電開始により前記操作リモコンの接続先を切り替えるスイッチと、停電開始により前記スイッチによって前記操作リモコンに接続されて、該操作リモコンへ前記バッテリーからの電力を供給し、該操作リモコンから指令信号を受信可能な状態となる監視回路とが設けられ、
停電時、前記監視回路が前記操作リモコンから給湯開始指令信号を受信すると、前記監視回路は、停止していた前記インバータを作動させて前記給湯ユニットに対する交流電力の出力を開始させ、前記スイッチは、前記操作リモコンを前記給湯ユニットに接続し、
停電時、前記バッテリーから電力を供給されている前記給湯ユニットが、給湯を行っていない状態を所定時間継続した際には、前記監視回路は、前記インバータを停止させ、前記スイッチは、前記操作リモコンの接続先を前記給湯ユニットから前記監視回路に切り替えることを特徴とする給湯器。
【請求項３】
請求項１又は２記載の給湯器において、前記監視回路は、前記給湯ユニット及び前記スイッチに接続され、停電時、該監視回路は、前記バッテリーから電力を供給されている該給湯ユニットが前記操作リモコンから給湯終了指令信号を受信したのを検出すると、前記インバータを停止させ、前記スイッチを作動して、前記操作リモコンの接続先を前記給湯ユニットから前記監視回路に切り替えることを特徴とする給湯器。
【請求項４】
請求項１〜３のいずれか１項に記載の給湯器において、前記電源ユニットは、前記バッテリー、前記インバータ、前記スイッチ及び前記監視回路を収容する筺体と、前記筺体内を空冷するファンとを備えることを特徴とする給湯器。
【請求項５】
請求項４記載の給湯器において、前記電源ユニットは、前記筐体内の温度を計測する温度センサを備え、前記ファン及び該温度センサは、直流仕様であって、前記バッテリーから直流電力を供給されて作動することを特徴とする給湯器。
【請求項６】
請求項５記載の給湯器において、前記ファンは、通常時、連続して作動し、停電時は、前記温度センサの計測温度が所定温度以上になったのを条件に作動を開始することを特徴とする給湯器。
【請求項７】
請求項１〜６のいずれか１項に記載の給湯器において、前記バッテリーは、前記給湯ユニットに電力を供給する主二次電池と、前記監視回路に電力を供給する補助二次電池とに分かれていることを特徴とする給湯器。
【発明の詳細な説明】
【技術分野】
【０００１】
本発明は、水を加熱して湯を供給する給湯器に関する。
【背景技術】
【０００２】
バーナーの熱を利用して水を加熱し、給湯栓（蛇口やシャワー）に湯を供給する給湯器は、バーナーに空気を供給するファンや、操作リモコン等、電力が供給されて作動する電動機器を多く備えている（例えば、特許文献１参照）。
給湯器は、商用電源からの電力によって、これらの電動機器を作動させ、給湯栓に対して所定温度の湯を供給する。
【先行技術文献】
【特許文献】
【０００３】
【特許文献１】特開２０１１−１６３７１１号公報
【発明の概要】
【発明が解決しようとする課題】
【０００４】
しかしながら、商用電源からの電力供給は、災害、事故等によって停止することがあり、従来の給湯器では、商用電源からの電力供給が停止した際に、給湯栓に湯を供給することができないという問題があった。
本発明は、かかる事情に鑑みてなされるもので、バッテリー（二次電池）を備え、停電時にはバッテリーに蓄えられた電力を用いて作動し湯を供給する給湯器を提供することを目的とする。
【課題を解決するための手段】
【０００５】
前記目的に沿う第１の発明に係る給湯器は、通常時に商用電源からの電力供給によって作動し給湯を行う給湯ユニットと、前記商用電源からの電力供給によって充電されるバッテリー及び該バッテリーからの直流電力を交流電力に変換して前記給湯ユニットに出力するインバータを備えた電源ユニットと、通常時、前記給湯ユニットに接続されて、該給湯ユニットから電力供給を受け、該給湯ユニットに指令信号を送信可能な状態を保持する操作リモコンとを有する給湯器であって、前記電源ユニットには、停電開始により前記操作リモコンの接続先を切り替えるスイッチと、通常時及び停電時に前記バッテリーから直流電力が供給され、前記スイッチの切り替えを制御する監視回路とが設けられ、前記監視回路は、停電開始により前記スイッチによって前記操作リモコンに接続されて、該操作リモコンへ前記バッテリーからの電力を供給し、該操作リモコンから指令信号を受信可能な状態となり、停電時、前記監視回路が前記操作リモコンから給湯開始指令信号を受信すると、前記監視回路は、停止していた前記インバータを作動させて前記給湯ユニットに対する交流電力の出力を開始させ、前記スイッチは、前記操作リモコンを前記給湯ユニットに接続する。
【０００６】
前記目的に沿う第２の発明に係る給湯器は、通常時に商用電源からの電力供給によって作動し給湯を行う給湯ユニットと、前記商用電源からの電力供給によって充電されるバッテリー及び該バッテリーからの直流電力を交流電力に変換して前記給湯ユニットに出力するインバータを備えた電源ユニットと、通常時、前記給湯ユニットに接続されて、該給湯ユニットから電力供給を受け、該給湯ユニットに指令信号を送信可能な状態を保持する操作リモコンとを有する給湯器であって、前記電源ユニットには、停電開始により前記操作リモコンの接続先を切り替えるスイッチと、停電開始により前記スイッチによって前記操作リモコンに接続されて、該操作リモコンへ前記バッテリーからの電力を供給し、該操作リモコンから指令信号を受信可能な状態となる監視回路とが設けられ、停電時、前記監視回路が前記操作リモコンから給湯開始指令信号を受信すると、前記監視回路は、停止していた前記インバータを作動させて前記給湯ユニットに対する交流電力の出力を開始させ、前記スイッチは、前記操作リモコンを前記給湯ユニットに接続し、停電時、前記バッテリーから電力を供給されている前記給湯ユニットが、給湯を行っていない状態を所定時間継続した際には、前記監視回路は、前記インバータを停止させ、前記スイッチは、前記操作リモコンの接続先を前記給湯ユニットから前記監視回路に切り替える。
【０００７】
第１、第２の発明に係る給湯器において、前記監視回路は、前記給湯ユニット及び前記スイッチに接続され、停電時、該監視回路は、前記バッテリーから電力を供給されている該給湯ユニットが前記操作リモコンから給湯終了指令信号を受信したのを検出すると、前記インバータを停止させ、前記スイッチを作動して、前記操作リモコンの接続先を前記給湯ユニットから前記監視回路に切り替えるのが好ましい。
【０００８】
第１、第２の発明に係る給湯器において、前記電源ユニットは、前記バッテリー、前記インバータ、前記スイッチ及び前記監視回路を収容する筺体と、前記筺体内を空冷するファンとを備えるのが好ましい。
【０００９】
第１、第２の発明に係る給湯器において、前記電源ユニットは、前記筐体内の温度を計測する温度センサを備え、前記ファン及び該温度センサは、直流仕様であって、前記バッテリーから直流電力を供給されて作動するのが好ましい。
【００１０】
第１、第２の発明に係る給湯器において、前記ファンは、通常時、連続して作動し、停電時は、前記温度センサの計測温度が所定温度以上になったのを条件に作動を開始するのが好ましい。
【００１１】
第１、第２の発明に係る給湯器において、前記バッテリーは、前記給湯ユニットに電力を供給する主二次電池と、前記監視回路に電力を供給する補助二次電池とに分かれているのが好ましい。
【発明の効果】
【００１２】
第１、第２の発明に係る給湯器は、バッテリーからの直流電力を交流電力に変換して給湯ユニットに出力するインバータを有し、停電時、監視回路が操作リモコンから給湯開始指令信号を受信すると、監視回路が、停止していたインバータを作動させて給湯ユニットに対する交流電力の出力を開始させるので、停電時にはバッテリーに蓄えられた電力を用いて作動し湯を供給することが可能である。更に、停電時は、監視回路が操作リモコンから給湯開始指令信号を受信するまで、インバータは停止状態にあり、停電時のバッテリーの電力消費を抑制でき、停電持の給湯時間の延長化を図ることが可能である。
【００１３】
また、電源ユニットに、停電開始により操作リモコンの接続先を切り替えるスイッチと、停電開始によりスイッチによって操作リモコンに接続されて、操作リモコンへバッテリーからの電力を供給し、操作リモコンから指令信号を受信可能な状態となる監視回路とが設けられ、停電時、監視回路が操作リモコンから給湯開始指令信号を受信すると、スイッチが、操作リモコンを給湯ユニットに接続する。従って、給湯ユニットが停止状態でも、操作リモコンからの給湯開始指令信号の送信先と操作リモコンの電力供給元を確実に確保することができる。
【００１４】
第１、第２の発明に係る給湯器において、監視回路が、給湯ユニット及びスイッチに接続され、停電時、監視回路が、給湯ユニットが操作リモコンから給湯終了指令信号を受信したのを検出すると、インバータを停止させ、スイッチを作動して、操作リモコンの接続先を給湯ユニットから監視回路に切り替える場合、停電時に、操作リモコンから給湯終了指令信号が送信されることによって、インバータは電力消費を止め、監視回路は操作リモコンからの給湯開始指令信号を受信可能な状態を確実に保持することができる。
【００１５】
第２の発明に係る給湯器は、停電時、バッテリーから電力供給を受けている給湯ユニットが、給湯を行っていない状態を所定時間継続した際に、監視回路が、インバータを停止させ、スイッチが、操作リモコンの接続先を給湯ユニットから監視回路に切り替えるので、停電時に給湯が所定時間以上行われていないにも関わらずインバータを作動してバッテリーの電力を消費することを回避し、バッテリーの電力消費を抑制することが可能であり、また、給湯ユニットが停止状態となった際に、操作リモコンからの指令信号を監視回路が受信可能な状態を確実に構築することができる。
【００１６】
第１、第２の発明に係る給湯器において、電源ユニットが、筺体内を空冷する場合、バッテリーの温度上昇を抑えてバッテリーの寿命を延ばすことが可能である。
【００１７】
第１、第２の発明に係る給湯器において、ファン及び温度センサが、直流仕様であって、バッテリーから直流電力を供給されて作動する場合、ファン及び温度センサに電力供給を行うに当たってインバータを設ける必要がなく、インバータの作動による電力消費を回避することができ、停電時のファン及び温度センサの作動時間の延長化を図ることが可能である。
【００１８】
第１、第２の発明に係る給湯器において、ファンが、通常時、連続して作動し、停電時、温度センサの計測温度が所定温度以上になったのを条件に作動を開始する場合、ファンが停止している時間を停電時に設けることができ、ファンの作動による電力消費量を抑制することが可能である。
【００１９】
第１、第２の発明に係る給湯器において、バッテリーが、給湯ユニットに電力を供給する主二次電池と、監視回路に直流電力を供給する補助二次電池とに分かれている場合、停電時、主二次電池内の電力は、監視回路によって消費されず、停電時の電源ユニットの作動時間の延長化を図ることが可能である。
【図面の簡単な説明】
【００２０】
【図１】本発明の一実施の形態に係る給湯器の説明図である。
【図２】同給湯器の給湯ユニットの説明図である。
【図３】変形例に係る給湯器の説明図である。
【発明を実施するための形態】
【００２１】
続いて、添付した図面を参照しつつ、本発明を具体化した実施の形態につき説明し、本発明の理解に供する。
図１、図２に示すように、本発明の一実施の形態に係る給湯器１０は、通常時に商用電源１４からの電力供給によって作動し給湯を行う給湯ユニット１５と、主二次電池１１及び主二次電池１１からの直流電力を交流電力に変換して給湯ユニット１５に出力するインバータ１２を備えた電源ユニット１３と、通常時、給湯ユニット１５に接続される給湯リモコン（操作リモコンの一例）１６とを有している。以下、これらについて詳細に説明する。
【００２２】
電源ユニット１３は、図１に示すように、商用電源１４からの交流電力を直流電力に変換するコンバータ１７と、コンバータ１７に接続された主二次電池１１と、主二次電池１１から供給される直流電力を交流電力に変換するインバータ１２を備えている。インバータ１２には、電力出力側に、給湯ユニット１５の電力供給元を切り替えるスイッチ１８が接続されている。
インバータ１２は、商用電源１４から交流電力が出力されている時（以下、「通常時」ともいう）に停止し、商用電源１４から交流電力が出力されていない状態で、給湯ユニット１５に主二次電池１１からの電力を供給する際に作動する。
スイッチ１８は、通常時、商用電源１４と給湯ユニット１５を直接接続し、商用電源１４からの交流電力が、スイッチ１８を介して給湯ユニット１５に供給されるようにする。通常時、商用電源１４からの交流電力はコンバータ１７にも供給され、コンバータ１７は主二次電池１１に対して直流電力を出力する。従って、主二次電池１１は、通常時に商用電源１４からの電力供給によって充電される。
【００２３】
電源ユニット１３には、主二次電池１１に加えて、補助二次電池１９が設けられている。補助二次電池１９は、コンバータ１７に接続され、通常時、コンバータ１７から出力される直流電力によって充電される。
補助二次電池１９は、ファン２０及び温度センサ２１が接続された入出力制御回路２２に接続され、入出力制御回路２２には、インバータ１２の作動、停止を制御する監視回路２３が接続されている。
【００２４】
入出力制御回路２２は、通常時及び停電時に補助二次電池１９から直流電力を与えられて作動し、ファン２０及び温度センサ２１への直流電力の出力制御と、温度センサ２１からの温度情報の取得を行う。ここで、停電時とは、商用電源１４から交流電力が出力されていない時を意味する。
ファン２０及び温度センサ２１は、直流仕様であって、補助二次電池１９から出力される直流電力が入出力制御回路２２を介して供給されることによって作動する。
監視回路２３には、補助二次電池１９から出力される直流電力が入出力制御回路２２を介して供給される。
【００２５】
このように電源ユニット１３に、主二次電池１１に加えて補助二次電池１９を設けているのは、停電時に入出力制御回路２２、監視回路２３、ファン２０及び温度センサ２１によって主二次電池１１内の電力が消費されないようにし、停電時の給湯ユニット１５の作動時間を延長するためである。
本実施の形態では、バッテリーが、主二次電池１１及び補助二次電池１９によって構成され、バッテリーは、主二次電池１１と補助二次電池１９とに分れている。
主二次電池１１、補助二次電池１９としては、鉛蓄電池、リチウムイオン電池等を採用することができる。
【００２６】
監視回路２３は、インバータ１２に信号接続され、インバータ１２に対して作動開始信号及び停止信号を送信してインバータ１２の制御を行う。なお、図１では、監視回路２３とインバータ１２の接続が省略されている。
監視回路２３は、スイッチ２５に接続され、スイッチ２５の切り替え制御が可能である。
監視回路２３には、通常時及び停電時に補助二次電池１９から直流電力が供給されている。
【００２７】
電源ユニット１３は、給湯リモコン１６の接続先を切り替えるスイッチ２５を備え、スイッチ２５は、給湯リモコン１６を監視回路２３又は給湯ユニット１５のいずれか一方に接続する。
通常時、給湯リモコン１６は、スイッチ２５によって給湯ユニット１５に接続され、通電中の給湯ユニット１５から電力供給を受け、給湯ユニット１５に指令信号を送信可能な状態を保持する。
【００２８】
電源ユニット１３は、筺体２６を備え、この筺体２６内に、主二次電池１１、インバータ１２、コンバータ１７、スイッチ１８、２５、補助二次電池１９、ファン２０、温度センサ２１、入出力制御回路２２及び監視回路２３が収容されている。
ファン２０は、作動して筺体２６内を空冷し、入出力制御回路２２及び監視回路２３等の回路群と共に主二次電池１１及び補助二次電池１９の温度上昇を抑制する。一般的に二次電池は温度上昇によって寿命が短くなるので、ファン２０による空冷は、主二次電池１１及び補助二次電池１９の寿命を長くするのに有効である。
【００２９】
また、温度センサ２１は、筺体２６内の温度を計測するために設けられたものである。
入出力制御回路２２は、通常時、ファン２０を連続して作動させ、停電時には、温度センサ２１の計測温度が所定温度（本実施の形態では、３０〜４０℃の範囲で予め定められた温度）以上になったのを条件にファン２０の作動を開始する。
停電時に作動を開始したファン２０は、予め定められた時間（本実施の形態では、５〜１５分）作動を行った後に停止し、温度センサ２１の計測温度が所定温度以上になった際に再び作動を始める。
【００３０】
停電開始によって、スイッチ２５は給湯リモコン１６の接続先を切り替えて、給湯リモコン１６を監視回路２３に接続する。
給湯リモコン１６に接続された監視回路２３は、給湯リモコン１６へ補助二次電池１９からの電力を供給し、給湯リモコン１６から指令信号を受信可能な状態となる。
スイッチ１８は、停電開始のタイミングで切り替え動作をせず、商用電源１４を直接給湯ユニット１５に接続した状態を保持する。
【００３１】
停電時に給湯リモコン１６で給湯開始操作が行われると、給湯リモコン１６は、監視回路２３に給湯開始指令信号を送信する。監視回路２３が給湯リモコン１６から給湯開始指令信号を受信すると、監視回路２３は、停止していたインバータ１２に対して作動開始信号を送信し、スイッチ１８は切り替え動作を行って、インバータ１２と給湯ユニット１５を接続する。これによって、インバータ１２は、主二次電池１１から供給される直流電力を交流電力へ変換し、スイッチ１８を介して給湯ユニット１５に対する交流電力の出力を開始する。
【００３２】
給湯ユニット１５は、スイッチ１８及びインバータ１２を介して主二次電池１１から電力供給を受けて作動する。
給湯ユニット１５は、監視回路２３に接続されているので、給湯ユニット１５が通電中、監視回路２３から送信される情報を給湯リモコン１６に表示可能である。給湯リモコン１６は、停電開始後、給湯リモコン１６で給湯開始操作がなされるまで、給湯開始操作待ち状態であることを表示する。この表示は、現在の給湯器１０の状態、即ち給湯開始操作待ち状態を示すと共に、電源ユニット１３が正常に動作していることを示すためのものである。給湯開始操作待ち状態になるべきときに、給湯リモコン１６に給湯開始操作待ち状態が表示されない場合、電源ユニット１３が正常に動作していない可能性がある。
【００３３】
スイッチ２５は、監視回路２３が給湯リモコン１６から給湯開始指令信号を受信すると、給湯リモコン１６の接続先を切り替えて、給湯リモコン１６を給湯ユニット１５に接続する。これによって、給湯リモコン１６は、給湯ユニット１５から電力を供給され、給湯ユニット１５に指令信号（例えば、設定温度変更のための指令信号）を送信可能な状態となる。
【００３４】
そして、停電時に給湯ユニット１５が主二次電池１１から電力を供給されている状態で、給湯リモコン１６において給湯終了操作がなされると、給湯リモコン１６は、給湯ユニット１５に給湯終了指令信号を送信する。監視回路２３と給湯ユニット１５は接続されており、監視回路２３は常に給湯ユニット１５と通信可能な状態が保持されている。これは、給湯リモコン１６から直接信号を受信できない監視回路２３が、給湯リモコン１６から給湯終了指令信号が発信された旨を、給湯ユニット１５を介して検知可能にするためである。
監視回路２３は、給湯ユニット１５が給湯終了指令信号を受信したのを検出すると、スイッチ２５を作動して、給湯リモコン１６の接続先を給湯ユニット１５から監視回路２３に切り替える。
監視回路２３は、給湯リモコン１６に接続されて、給湯リモコン１６からの指令信号を受信可能な状態になる。このとき、補助二次電池１９からの直流電力が、入出力制御回路２２、監視回路２３及びスイッチ２５を介して給湯リモコン１６に供給される。
【００３５】
また、監視回路２３は、給湯ユニット１５が給湯終了指令信号を受信したのを検出すると、インバータ１２に停止信号を送信して、給湯ユニット１５に対する交流電力の出力を停止させる。スイッチ１８は、インバータ１２を給湯ユニット１５から切り離し、商用電源１４を直接、給湯ユニット１５に接続する。
従って、給湯リモコン１６で給湯終了操作が行われた後は、給湯ユニット１５に加えてインバータ１２も電力を消費しない状態となり、主二次電池１１に蓄えられていた電力が減少するのを抑制することができる。
なお、給湯開始指令信号及び給湯終了指令信号は、給湯リモコン１６が、給湯リモコン１６に設けられた特定の操作ボタンを操作されることによって送信する指令信号である。
【００３６】
停電時、インバータ１２からの交流電力を受けている給湯ユニット１５が、給湯を行っていない状態を所定時間（本実施の形態では、５〜１５分の範囲で予め定められた時間）継続した際には、給湯ユニット１５が給湯リモコン１６から給湯終了指令信号を受信しなくとも、監視回路２３は、スイッチ２５を作動して、給湯リモコン１６の接続先を給湯ユニット１５から監視回路２３に切り替え、更にインバータ１２を停止させる。これによって、監視回路２３は給湯リモコン１６からの指令信号を受信可能な状態になる。
このとき、スイッチ１８は、切り替え動作を行って、商用電源１４を給湯ユニット１５に直接接続し、インバータ１２と給湯ユニット１５を非接続状態にする。
【００３７】
本実施の形態では、常時商用給電方式を採用しているが、他の方式、例えば、ラインインタラクティブ方式や、常時インバータ給電方式を採用することも可能である。
常時商用給電方式及びラインインタラクティブ方式では、通常時にインバータが停止状態を保持し、常時インバータ給電方式では、通常時にインバータが作動状態を保持するという点で、常時商用給電方式及びラインインタラクティブ方式と常時インバータ給電方式とは異なっている。
これに対し、停電時のインバータの制御は、常時商用給電方式、ラインインタラクティブ方式及び常時インバータ給電方式において共通しており、インバータは、停電開始から給湯リモコンで給湯開始操作がなされるまで停止している。そして、いずれの方式の場合も、インバータは監視回路から送信される信号によって作動を開始し、あるいは停止する。
なお、常時商用給電方式及びラインインタラクティブ方式では、インバータと給湯ユニットの間にスイッチが配置されるが、常時インバータ方式では、インバータと給湯ユニットの間のスイッチは省略可能である。
【００３８】
給湯ユニット１５は、図２に示すように、給水管２８から水が供給される熱交換器２９と、熱交換器２９を通過する水を加熱するバーナー３０とを備えている。
熱交換器２９の下流側には、混合弁３１が連結され、混合弁３１は、熱交換器２９から送られる湯に給水管２８からの水を混合し、混合弁３１の下流側に設けられたシャワー３２及び蛇口３３に設定温度の湯を供給する。
【００３９】
給水管２８には、給水管２８内の水の温度を計測する温度センサ３４が設けられている。そして、熱交換器２９と混合弁３１の間には、熱交換器２９から送り出される湯の温度を計測する温度センサ３５が設けられ、混合弁３１の下流側には、混合弁３１から出湯される湯の温度を計測する温度センサ３６が設けられている。
バーナー３０、混合弁３１及び温度センサ３４、３５、３６には、スイッチ２５及び監視回路２３に接続された制御回路３７が信号接続されている。
【００４０】
制御回路３７は、設定温度を記憶しており、温度センサ３４、３５、３６の計測温度を基にして、混合弁３１の湯と水の混合比を決定する。
混合弁３１と温度センサ３６の間には、制御回路３７に信号接続された比例弁３８が配置され、混合弁３１から送り出される湯の流量はこの比例弁３８によって調整される。
シャワー３２及び蛇口３３と混合弁３１とを接続する配管３９には、温度センサ３６の下流側に、浴槽４０に湯を送る配管４１が連結されている。配管４１には、制御回路３７に信号接続された開閉弁４３が取付けられ、開閉弁４３は、浴槽４０への湯張りを行う際に開かれ、浴槽４０への湯張りが終了すると閉じられる。
【００４１】
給湯ユニット１５は、筺体４２を備え、熱交換器２９、バーナー３０、混合弁３１、温度センサ３４、３５、３６、制御回路３７、比例弁３８及び開閉弁４３は、筺体４２内に収容されている。
なお、配管４１には、浴槽４０内の湯が逆流するのを防止する図示しない逆流防止手段が設けられている。
【００４２】
制御回路３７には、浴槽４０への湯張り開始操作等がなされる浴室リモコン４４が接続されている。
給湯リモコン１６がリビングやダイニングに設置されるのに対し、浴室リモコン４４は、浴室内に設置され、一般的に給湯リモコン１６に比べて表示画面が大きく消費電力も大きい。
このため、浴室リモコン４４は、給湯リモコン１６と異なり、停電時には電力が供給されず、通常時のみ給湯ユニット１５から直流電力が供給されて作動する。これは、停電時に、電力消費量を抑制するためである。
【００４３】
また、本実施の形態では、電源ユニット１３が補助二次電池１９を備えているが、補助二次電池を備えない電源ユニット５０を採用することもできる。
以下、電源ユニット５０を備えた給湯器５１について説明する。なお、給湯器１０と同じ構成については、同一の符号を付して説明を省略する。
【００４４】
電源ユニット５０にはバッテリーの一例である二次電池５２が設けられ、この二次電池５２には、図３に示すように、コンバータ１７及びインバータ１２に加えて、入出力制御回路５３が接続されている。
二次電池５２は、通常時、商用電源１４からの電力供給によって充電を行うと共に、入出力制御回路５３を介して、ファン２０に直流電力を供給してファン２０を作動させる。
停電時、ファン２０、温度センサ２１及び監視回路２３には、二次電池５２から入出力制御回路５３を介して直流電力が供給される。
【００４５】
以上、本発明の実施の形態を説明したが、本発明は、上記した形態に限定されるものでなく、要旨を逸脱しない条件の変更等は全て本発明の適用範囲である。
例えば、給湯ユニットには貯湯タンクを設けてもよい。
また、停電時、給湯リモコンに加えて、浴室リモコンにもバッテリー（二次電池）からの電力供給がなされる設計を採用することもできる。
そして、停電時に作動を開始したファンは、筺体内の温度を計測する温度センサの計測温度が予め定められた温度に下がったことを条件に停止するようにしてもよい。
【符号の説明】
【００４６】
１０：給湯器、１１：主二次電池、１２：インバータ、１３：電源ユニット、１４：商用電源、１５：給湯ユニット、１６：給湯リモコン（操作リモコン）、１７：コンバータ、１８：スイッチ、１９：補助二次電池、２０：ファン、２１：温度センサ、２２：入出力制御回路、２３：監視回路、２５：スイッチ、２６：筺体、２８：給水管、２９：熱交換器、３０：バーナー、３１：混合弁、３２：シャワー、３３：蛇口、３４〜３６：温度センサ、３７：制御回路、３８：比例弁、３９：配管、４０：浴槽、４１：配管、４２：筺体、４３：開閉弁、４４：浴室リモコン、５０：電源ユニット、５１：給湯器、５２：二次電池、５３：入出力制御回路
【図１】
0005898922.tif 000002
【図２】
0005898922.tif 000003
【図３】
0005898922.tif 000004